(57)【特許請求の範囲】
【請求項１】
鋼板に対する粘着力が１００ないし５０００ｇ／２５ｍｍ幅である粘着シートの粘着面に繊維シートを貼着した清掃シートであって、
該繊維シートは、合成または再生繊維からなる不織布またはネットの両面に合成または再生繊維を交絡させてなり、前記粘着シートの粘着面上に位置する複数個の開口部を有し、該開口部の一個あたりの面積は０．１ないし５０ｃｍ2 であり、かつ該開口部の合計した面積が前記粘着シートの面積の５ないし５０％であり、さらに前記粘着シートの面積が清掃シートの活用面の面積の１０ないし１００％であることを特徴とする清掃シート。
【請求項２】
前記粘着シートが、基紙にアクリル系またはゴム系粘着剤を塗布してなることを特徴とする請求項１記載の清掃シート。
【発明の詳細な説明】
【０００１】
【発明の属する技術分野】
本発明は、業務用または家庭用として用いられる清掃シートに関するものである。
【０００２】
【従来の技術】
従来より、清掃用物品としては、掃除機、ほうき、モップ、雑巾、化学雑巾などがあり、目的、あるいはそれぞれの方法の長所、短所に応じて使い分けられてきた。近年、集合住宅などで木質の床材を用いたフロアが多くなり、例えば柄付きクリーナーに装着してモップ様に使用され、使用後のシート交換が容易な使い捨ての清掃シートが普及している。清掃シートとしては、平面状の綿布や不織布に油状物質を含浸させたものが一般的で、これらは細かな塵埃などの除去には効果を発揮するものの、髪の毛、パン粉、菓子くず、粒状物などの比較的大きなゴミを拭き取るのは困難であった。また、捕捉力が弱いため、一旦捕捉されたゴミが振動等で脱落して周囲を汚すという欠点もあった。そこで、特開平４−２５０１３０号公報や特開平４−３１２４３０号公報には、熱収縮性シートと不織布とを部分的に接合し、熱収縮性繊維を熱収縮させることにより、部分的に凸状部を設けたもの、また、特開平４−９６７２４号公報には、織度が０．８デニール未満の極細繊維を混在させたものが開示されているが、ゴミの捕捉効果が十分でなく、シートの強度や製造性の点でも問題が多い。
【０００３】
また、粘着シートをロールに巻きつけ、これをじゅうたん等の処理面上を転がしてゴミを捕捉する方法も知られているが、粘着面が処理面に接着するので平坦な床などに対しては使用できない。また、粘着シートのゴミ捕捉効果は一度ゴミが付着すると顕著に低下するため、一回転毎に粘着シートを剥がし替える必要があり、非常に面倒で、しかも処理面や手を汚しやすいという問題をも有している。
【０００４】
【発明が解決しようとする課題】
本発明は、木質やビニール製の床、家具などに落下、散乱または付着などした埃、髪の毛、パン粉、菓子くず、粒状物など大小を問わず、あらゆる種類のゴミを捕捉でき、強度的にすぐれ、衛生的で、かつ使いやすい清掃シートを提供することを課題としてなされたものである。
【０００５】
【課題を解決するための手段】
上記課題を解決するため、本発明者らは鋭意研究を重ねた結果、特定の粘着力を有する粘着シートに、特定の開口部を有する繊維シートを貼着させることによって、上記課題を解決し得る清掃シートが得られることを見出し、さらに検討を加え、本発明を完成した。
【０００６】
すなわち、請求項１の発明は、鋼板に対する粘着力が１００ないし５０００ｇ／２５ｍｍ幅である粘着シートの粘着面に繊維シートを貼着した清掃シートであって、
該繊維シートは、合成または再生繊維からなる不織布またはネットの両面に合成または再生繊維を交絡させてなり、前記粘着シートの粘着面上に位置する複数個の開口部を有し、該開口部の一個あたりの面積は０．１ないし５０ｃｍ2 であり、かつ該開口部の合計した面積が前記粘着シートの面積の５ないし５０％であり、さらに前記粘着シートの面積が清掃シートの活用面の面積の１０ないし１００％である清掃シートに係るものである。
【０００７】
本発明で用いる粘着シートは、基紙（例えば紙、パラフィン紙など）、プラスチックシート、金属箔またはそれらの積層体などの支持体に粘着剤を塗布したもので、粘着剤としてはアクリル系、ゴム系、エポキシ系などの種々の粘着剤が使用可能であるが、性能面からアクリル系またはゴム系粘着剤が好ましい。本発明の清掃シートでは、前記粘着シートは、特定の粘着力、すなわちＪＩＳ  Ｚ０２３７（粘着テープ・粘着シート試験）の１８０度引剥がし粘着力試験方法に基づく試験で、１００ないし５０００ｇ／２５ｍｍ幅の値を示すことを必須とする。１００ｇ／２５ｍｍ幅未満の場合は、ゴミの捕捉効果が乏しく、一方、５０００ｇ／２５ｍｍ幅を越えると繊維シートの開口部を小さくしたとしても粘着剤が処理面に付着する懸念があって好ましくない。また、粘着シートはクリーナーヘッド部などの底面の中央部または左右片側部など、どこに位置させてもよいが、その面積はゴミの捕捉力の点から、清掃シートの処理面と接する面積である清掃シートの活用面の面積、例えばクリーナーヘッド部底面の面積の１０ないし１００％を占めることが必要である。
【０００８】
また、本発明で用いる繊維シートは、綿などの天然繊維、ポリエステル、ポリオレフィン、ナイロン、アクリルなどの合成繊維、レーヨンなどの再生繊維などからなる単層繊維シートまたは上記繊維からなる複数層を交絡させたもので、本発明ではこの繊維シート上に複数個の開口部が設けられる。そして、開口部は粘着シートの上に位置すると共に、その合計面積が粘着シートの面積の５ないし５０％を占めるように設定される。５％未満では当然のことながらゴミの捕捉力が低く、一方、５０％を越えると処理面の汚染性、さらには使いやすさの点でも問題を生じる。
【０００９】
請求項２の発明は、請求項１の構成において、基紙にアクリル系またはゴム系粘着剤を塗布してなる粘着シートを用いたものである。
【００１１】
本発明における繊維シートにおける好ましい構成としては、レーヨン製寒冷紗の両面にポリエステル繊維を交絡させたもの、ポリプロピレン製不織布の両面にレーヨン繊維を交絡させたもの、ポリプロピレン製ネットの両面にポリエステル繊維を交絡させたもの、ポリエチレン製不織布の両面にポリエステル繊維を交絡させたもの、ポリエステル製不織布の両面にアクリル繊維を交絡させたものなどが挙げられるが、これらに限定されるものではない。
【００１２】
【発明の実施の形態】
請求項１の発明の清掃シートを、例えば柄付きクリーナーや卓上クリーナーに装着して処理面に適用すると、繊維シートによって拭きだされた処理面上の種々のゴミは、開口部分に取り込まれ、粘着シートに捕捉される。すなわち、この清掃シートは、繊維シートの特性と粘着シートの粘着力が相まって、高いゴミ捕捉効率を示し、処理面を汚染することがなく、しかも使用性にもすぐれたものである。なお、開口部の形状は、円形、楕円形、短冊状など種々可能で、その一個あたりの面積は、クリーナーヘッド部底面の形状や面積などの使用時の条件にもよるが、０．１ないし５０ｃｍ2 の範囲である。
また、清掃シートの裏面にウレタン、スポンジ、柔らかい繊維層等の弾力材を付設して、ゴミ捕捉効率や使用性を一層高めることもできる。
【００１３】
さらに、繊維シートは処理面の汚れを拭き取る作用も有するが、これに薬剤などを保持させて多目的効果を付与させることもできる。例えば、界面活性剤やオイル等の添加は、処理面に付着した液状または糊状物質等の除去に有用であるし、また抗菌、防黴剤などを保持させれば、清掃シート中での雑菌、カビの繁殖を抑えることも可能である。
【００１４】
請求項２の発明によると、粘着シートに好ましいアクリル系またはゴム系の粘着剤を用いるので、性能のよりすぐれた清掃シートを得ることができる。
【００１６】
本発明の清掃シートは、柄付きクリーナーや卓上クリーナーなどに容易に装着でき、家庭はもちろん、事務所、作業所、レストランなどの床やフロア、家具、卓上などの清掃用物品として極めて有用である。
なお、本発明の清掃シートは、適用するクリーナーなどの形状に合わせて様々な形態をとり得る。もちろん、清掃シートの粘着シート部の面積がクリーナーヘッド面の全面を覆うようにしてもよいが、例えば、クリーナーヘッド部底面に設けた凹部に該清掃シートの粘着シート部を位置させるような構成としてもよい。
【００１７】
【実施例】
次に、具体的な実施例および試験例に基づいて、本発明の清掃シートをさらに詳細に説明するが、本発明はこれらに限定されるものではない。
【００１８】
実施例１
本実施例に用いる粘着シートとして、幅１０ｃｍ、長さ３０ｃｍの基紙に、アクリル系粘着剤をその粘着力がＪＩＳ  Ｚ０２３７（粘着テープ・粘着シート試験）の１８０度引剥がし粘着力試験方法に基づく試験で９００ｇ／２５ｍｍ幅となるように塗布した。また、レーヨン製寒冷紗の両面にポリエステル繊維を交絡させたシート（幅２０ｃｍ，長さ３０ｃｍ）の中央帯（幅１０ｃｍ，長さ３０ｃｍ）に開口面積が１ｃｍ2 の円形開口部を合計３０個打抜き、開口部が粘着シートの上に位置するように両シートを貼着した。
図１および２に、このようにして得られた清掃シート１を示す。基紙２１上に粘着剤層２２が形成されてなる粘着シート２の粘着面ａ上に繊維シート３が、その開口部４の全てが粘着面ａ上に位置するように積層されている。
上記清掃シートを柄付きクリーナー（ヘッド部底面；幅１０ｃｍ，長さ３０ｃｍ）に装着し、木質フロアで使用したところ、一枚のシートで綿埃、髪の毛、パン粉、菓子くず、粒状物などのあらゆる種類のゴミを大量に捕捉でき、従来の清掃シートに比べて非常に効率的であった。また、粘着剤で手を汚したり、処理面を汚染させることがなく、しかもスムーズに床面を滑り使用性の面でもすぐれ、さらにシートの強度も十分なものであった。
【００１９】
実施例２
本実施例に用いる粘着シートとして、幅５ｃｍ、長さ２０ｃｍの基紙に、ゴム系粘着剤をその粘着力がＪＩＳ  Ｚ０２３７（粘着テープ・粘着シート試験）の１８０度引剥がし粘着力試験方法に基づく試験で１２００ｇ／２５ｍｍ幅となるように塗布した。また、ポリプロピレン製不織布の両面にレーヨン繊維を交絡させたシート（幅２０ｃｍ，長さ２０ｃｍ）の中央帯（幅５ｃｍ，長さ２０ｃｍ）に開口面積が６ｃｍ2 の楕円形開口部を合計４個打抜き、開口部が粘着シートの上に位置するように両シートを貼着した。このようにして得られた清掃シートを図３に示す。図中、多数の黒点で示される部分ａは繊維シート３の開口部４から露出している、該シート３の下に位置する粘着シート２の粘着面である。
上記清掃シートを卓上クリーナー（ヘッド部底面；幅１０ｃｍ，長さ２０ｃｍ）に装着し、パン粉、菓子くずなどの食べ物くずの散らばった木製食卓上で使用したところ、粘着剤が処理面に強く接着することがなく、使用感もスムーズで、ほとんどの食べ物くずを捕捉することができた。
【００２０】
実施例３ないし６
次に繊維シートの開口部の形状および位置を種々変更して本発明の清掃シートを作成した。図４ないし７はそれぞれ実施例３ないし６における清掃シートを繊維シート側から見た場合の平面図である。図４は楔形の開口部４を繊維シート３中央部に帯状に設けてその下に帯状の粘着シート２を貼着した例であり（実施例３）、図５は実施例１と同様に円形の開口部４を設けたものであるが、繊維シート３と粘着シートとは全面重なり、開口部４も繊維シート３全面に拡がっている例であり（実施例４）、図６は繊維シート３の片側にのみ長円形の開口部４を設けてその下に帯状の粘着シート２を貼着した例であり（実施例５）、そして図７は繊維シート３の中央部に菱形の開口部４を設けてその下に粘着シート２を貼着した、すなわち繊維シートの非貼着部分が枠状となっている例である（実施例６）。図４ないし７においても、図３と同様、多数の黒点が付された部分ａは粘着シート２の粘着面である。
【００２１】
試験例
実施例１および実施例２に準じて表１に示す種々の本発明の清掃シートを作成し、下記の各種性能試験を実施した。表１にはその結果も併せて示す。
（１）ゴミ捕捉試験
１ｍ平方の木製板の上に様々な大きさのパン粉約５ｇを散りばめ、柄付きクリーナーまたはハンドローラーに供試清掃シートを装着して全面均等に１回拭き取り、清掃シートに捕捉されたパン粉の量を調べた。結果は目視により次の基準で評価した。
○：パン粉の大小を問わず、ほとんどを捕捉
△：パン粉の大小を問わず捕捉するが、やや捕り残しあり
×：捕捉するのは小さいパン粉のみで、しかも脱落しやすい
（２）使用性試験
処理面に対する粘着剤の接着・汚染（Ａ）、シートの装着・交換の簡便性および清潔度（Ｂ）などの項目について評価し、結果を以下の基準で評価した。
○：試験項目の使用性に非常にすぐれる
△：試験項目の使用性にすぐれる
×：試験項目の使用性に劣る
【００２２】
【表１】
0003740616.tif 000002
【００２３】
試験の結果、本発明の清掃シートは、高いゴミ捕捉力を示し、使用性の点でも非常にすぐれていた。これに対し、対照の従来品、例えば不織布のみからなるシート（対照１）はゴミ捕捉力が乏しいし、また、単なる粘着シート（対照２）は処理面に対する汚染など使用性の点で問題があった。また、粘着シートの粘着力、開口部面積の粘着シート面積に対する比率、および粘着シートの面積の清掃シート活用面の面積（本例ではクリーナーヘッド部底面の面積）に対する比率のいずれかの条件を満足しないもの（対照３〜７）は不適当で、これらの条件が相まってはじめて、有用な清掃シートが得られることが明らかである。
【００２４】
【発明の効果】
以上詳細に説明したように、本発明の清掃シートは、大小を問わず、あらゆる種類のゴミを効率よく確実に捕捉でき、処理面を汚染することがなく、しかも使用性にすぐれているので、その実用性は極めて高い。
また、本発明の清掃シートは、粘着シートや繊維シートとして特定のものを選択することにより、より実用性の高いものとすることができる。
【図面の簡単な説明】
【図１】本発明の実施例１で得られた清掃シートの斜視図である。
【図２】図１におけるＡ−Ａ線に沿った清掃シートの断面図である。
【図３】本発明の実施例２で得られた清掃シートの平面図である。
【図４】本発明の実施例３で得られた清掃シートの平面図である。
【図５】本発明の実施例４で得られた清掃シートの平面図である。
【図６】本発明の実施例５で得られた清掃シートの平面図である。
【図７】本発明の実施例６で得られた清掃シートの平面図である。
【符号の説明】
１  清掃シート
２  粘着シート
３  繊維シート
４  開口部
２１  基紙
２２  粘着剤層
ａ  粘着面
【図１】
0003740616.tif 000003
【図２】
0003740616.tif 000004
【図３】
0003740616.tif 000005
【図４】
0003740616.tif 000006
【図５】
0003740616.tif 000007
【図６】
0003740616.tif 000008
【図７】
0003740616.tif 000009